(57)【要約】【課題】画素や駆動回路で発した熱による、画像形成装置の温度上昇を抑制すること。【解決手段】人体に装着可能な画像形成装置１０であって、画像形成装置１０は、画素Ｐ及び画素Ｐを駆動する駆動回路（データ線駆動回路３５、走査線駆動回路３６）を有する画像表示装置１１と、画像表示装置１１を収納すると共に人体に接触する壁１３−１を有する外装ケース１３と、を有し、外装ケース１３は、接触面１３−１Ａから画像表示装置１１に向かうＸ方向に順に配置された壁１３−１と、壁１３−２と、壁１３−３と、を有し、壁１３−１は、接触面１３−１Ａを有し、画像表示装置１１は、壁１３−２と壁１３―３との間に配置されていることを特徴とする。【選択図】図３
2015143812.tif 000002
【特許請求の範囲】
【請求項１】
人体に装着可能な電気光学装置であって、
画素及び前記画素を駆動する駆動回路を有する表示部と、前記表示部を収納すると共に人体に接触する接触面を有する外装ケースと、を有し、
前記接触面は、前記表示部から少なくとも一つの空間を置いて配置されていることを特徴とする電気光学装置。
【請求項２】
前記空間には、大気圧の空気、または減圧された空気のいずれかが充填されていることを特徴とする請求項１に記載の電気光学装置。
【請求項３】
前記接触面は、前記表示部から二つの空間を置いて配置されていることを特徴とする請求項１または２に記載の電気光学装置。
【請求項４】
人体に装着可能な電気光学装置であって、
前記電気光学装置は、画素及び前記画素を駆動する駆動回路を有する表示部と、前記表示部を収納すると共に人体に接触する接触面を有する外装ケースと、を有し、
前記外装ケースは、前記人体に接触する接触面から前記表示部に向かう第１の方向に順に配置された第１の壁と、第２の壁と、第３の壁と、を有し、
前記第１の壁は、前記人体に接触する接触面を有し、
前記表示部は、前記第２の壁と前記第３の壁との間に配置されていることを特徴とする電気光学装置。
【請求項５】
前記第１の壁と前記第２の壁との間の空間、及び前記第２の壁と前記第３の壁との間の空間には、大気圧の空気、または減圧された空気のいずれかが充填されていることを特徴とする請求項４に記載の電気光学装置。
【請求項６】
前記外装ケースは、前記第１の方向に順に配置された、前記第１の壁と、前記第２の壁と、前記第３の壁と、第４の壁と、を有し、
前記第３の壁と前記第４の壁との間には、大気圧の空気、または減圧された空気のいずれかが充填されていることを特徴とする請求項４または５に記載の電気光学装置。
【請求項７】
前記外装ケースは、第５の壁を有し、
前記表示部は、前記第５の壁に固定されていることを特徴とする請求項４乃至６のいずれか１項に記載の電気光学装置。
【請求項８】
前記第１の壁の熱導電率及び前記第２の壁の熱伝導率の少なくとも一方は、前記第５の壁の熱伝導率よりも小さいことを特徴とする請求項７に記載の電気光学装置。
【請求項９】
前記画素には、有機エレクトロルミネッセンス素子が形成されていることを特徴とする請求項１乃至８のいずれか１項に記載の電気光学装置。
【請求項１０】
請求項１乃至９のいずれか１項に記載の電気光学装置を有していることを特徴とする電子機器。
【請求項１１】
人体に装着可能な電気光学装置であって、
画素及び前記画素を駆動する駆動回路を有する表示部と、前記表示部を収納すると共に人体側に位置する壁を有する外装ケースと、を備え、
前記壁は、前記表示部から少なくとも一つの空間を置いて配置されていることを特徴とする電気光学装置。
【発明の詳細な説明】
【技術分野】
【０００１】
本発明は、電気光学装置、及び当該電気光学装置を搭載した電子機器に関する。
【背景技術】
【０００２】
人体の頭部に装着して画像を観察するヘッドマウントディスプレイ（ＨＭＤ）は、小型軽量で持ち運びができるという利便性に優れ、例えば左眼と右眼とにそれぞれ対応させた映像により立体的な表示を提供することができる。例えば、特許文献１には、外界の映像（外界像）を妨げず、画像光を重ねて表示するシースルー機能を有するＨＭＤが提案されている。
【０００３】
特許文献１に記載のＨＭＤは、映像表示装置と投射透視装置とを備え、映像表示装置は装着者の側頭部に接するように配置される。
映像表示装置は、自発光型の有機エレクトロルミネッセンス（以降、有機ＥＬと称す）表示装置を備えている。有機ＥＬ表示装置は、発光素子としての有機ＥＬ素子や、有機ＥＬ素子を駆動する駆動回路などを備えている。当該有機ＥＬ素子は、陽極と、陰極と、これらの電極で挟まれた発光機能層などを有し、陽極と陰極との間に電流を流すと、発光機能層が発光する。
かかる構成によって映像表示装置は、動画像などの表示対象となる画像光を、投射透視装置の側に出力する。
投射透視装置は、導光部材やプリズムなどを備え、映像表示装置から発せられた画像光と外界像の光とを装着者の側に誘導する。
【先行技術文献】
【特許文献】
【０００４】
【特許文献１】特開２０１３−２００５５４号公報
【発明の概要】
【発明が解決しようとする課題】
【０００５】
しかしながら、有機ＥＬ素子は、陽極と陰極との間に流れる電流によって発熱する。駆動回路は、複数の有機ＥＬ素子に流れる電流の全体を制御するため、単体の有機ＥＬ素子と比べて大きな電流が流れ、大きく発熱する。つまり、特許文献１に記載のＨＭＤは、動画像などの表示対象となる画像光を出力する際に、有機ＥＬ素子や駆動回路は発熱し、映像表示装置の温度が上昇するという課題を有している。また、温度上昇に伴い、使用時の装着感（快適性）が損なわれ兼ねないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気光学装置は、人体に装着可能な電気光学装置であって、画素及び前記画素を駆動する駆動回路を有する表示部と、前記表示部を収納すると共に人体に接触する接触面を有する外装ケースと、を有し、前記接触面は、前記表示部から少なくとも一つの空間を置いて配置されていることを特徴とする。
【０００８】
本適用例に係る電気光学装置は、画像光を出力する表示部や、表示部を収納する外装ケースなどを備えている。画素や駆動回路に電流を流して画像光を出力すると、当該電流によって画素や駆動回路が発熱し、表示部の温度が上昇する。人体に接触する接触面（接触面）は、表示部から少なくとも一つの空間を置いて配置されている。空間とは、気体が充填された領域であり、固体や液体と比べて熱を伝搬しにくい断熱性に優れた領域である。つまり、接触面と表示部との間には、断熱性に優れた領域（空間）が配置されている。
従って、表示部の画素や駆動回路で発した熱が、接触面の側に伝搬されにくく、接触面の温度が上昇しにくい。これにより、頭部に装着して使用する際に、温度上昇による不快感を抑制することが可能となり、装着感を損なうことなく、快適性を確保することができる。
【０００９】
［適用例２］上記適用例に記載の電気光学装置において、前記空間には、大気圧の空気、または減圧された空気のいずれかが充填されていることが好ましい。
【００１０】
接触面と表示部との間に配置された空間に、大気圧の空気または減圧された空気を充填することで、例えば液体や固体を充填する場合と比べて、当該空間の軽量化を図り、且つ当該空間の断熱性を高めることができる。
【００１１】
［適用例３］上記適用例に記載の電気光学装置において、前記接触面は、前記表示部から二つの空間を置いて配置されていることが好ましい。
【００１２】
接触面と、表示部との間に二つの空間（断熱性に優れた領域）を配置することによって、例えば１つの空間を配置する場合と比べて、断熱性をさらに高めることができる。
なお、接触面と表示部との間に、さらに多くの空間を配置することも可能である。しかしながら、接触面と表示部との間にさらに多くの空間を配置すると、接触面と表示部との間の寸法が大きくなり、表示部（電気光学装置）の薄型化が難しくなる。
つまり、表示部の薄型化を図り、且つ表示部の断熱性を高めるためには、接触面と表示部との間に二つの空間を配置することが好ましい。
【００１３】
［適用例４］本適用例に記載の電気光学装置は、人体に装着可能な電気光学装置であって、前記電気光学装置は、画素及び前記画素を駆動する駆動回路を有する表示部と、前記表示部を収納すると共に人体に接触する接触面を有する外装ケースと、を有し、前記外装ケースは、前記人体に接触する接触面から前記表示部に向かう第１の方向に順に配置された第１の壁と、第２の壁と、第３の壁と、を有し、前記第１の壁は、前記人体に接触する接触面を有し、前記表示部は、前記第２の壁と前記第３の壁との間に配置されていることを特徴とする。
【００１４】
接触面から表示部に向かう第１の方向に、第１の壁と第２の壁と第３の壁とが順に配置され、第１の壁は人体に接触する接触面（接触面）を有している。さらに、表示部は、第２の壁と第３の壁との間に配置されている。よって、接触面と表示部との間には、第１の壁と第２の壁との間に形成された第１の空間が配置される。さらに、表示部を第２の壁から離間して配置すると、表示部と第２の壁との間に、第２の空間が配置（形成）される。よって、本適用例に係る電気光学装置は、接触面と表示部との間に少なくとも１つの空間、つまり少なくとも１つの断熱性に優れた領域を有する。
【００１５】
従って、表示部の画素や駆動回路で発した熱が、接触面に伝搬されにくく、接触面の温度が上昇しにくい。
【００１６】
［適用例５］上記適用例に記載の電気光学装置において、前記第１の壁と前記第２の壁との間の空間、及び前記第２の壁と前記第３の壁との間の空間には、大気圧の空気、または減圧された空気のいずれかが充填されていることが好ましい。
【００１７】
第１の壁と第２の壁との間の空間に、大気圧の空気または減圧された空気を充填することで、例えば液体や固体を充填する場合と比べて、当該空間の軽量化を図り、且つ当該空間の断熱性を高めることができる。同様に、第２の壁と第３の壁との間の空間に、大気圧の空気または減圧された空気を充填することで、例えば液体や固体を充填する場合と比べて、当該空間の軽量化を図り、且つ当該空間の断熱性を高めることができる。
【００１８】
［適用例６］上記適用例に記載の電気光学装置において、前記外装ケースは、前記第１の壁から前記第１の方向に順に配置された、前記第２の壁と、前記第３の壁と、第４の壁と、を有し、前記第３の壁と前記第４の壁との間には、大気圧の空気、または減圧された空気のいずれかが充填されていることが好ましい。
【００１９】
第１の壁及び第４の壁は、外装ケースの表面の側に配置され、第２の壁及び前記第３の壁は、外装ケースの内部に配置される。例えば、使用者が、第１の壁や第４の壁などを把持して電気光学装置を着脱する場合に、第４の壁の温度が高くると、使用者が第４の壁を把持する際に違和感を覚える恐れがある。
【００２０】
表示部と第４の壁との間には、第３の壁と第４の壁とで空間が形成され、当該空間に空気が充填されている。つまり、表示部と第４の壁との間には、断熱性に優れた領域が配置されている。よって、表示部の画素や駆動回路で発した熱が、第４の壁の側に伝搬されにくく、第４の壁の温度が上昇しにくい。従って、第４の壁の温度が高くなったことによる違和感を抑制することができる。
【００２１】
［適用例７］上記適用例に記載の電気光学装置において、前記外装ケースは、第５の壁を有し、前記表示部は、前記第５の壁に固定されていることが好ましい。
【００２２】
表示部は、接触面を有する第１の壁と異なる第５の壁に固定されている。よって、表示部の画素や駆動回路で発した熱は、第５の壁の側に伝搬され、第５の壁を熱の放熱部として放熱される。
【００２３】
［適用例８］上記適用例に記載の電気光学装置において、前記第１の壁の熱導電率及び前記第２の壁の熱伝導率の少なくとも一方は、前記第５の壁の熱伝導率よりも小さいことが好ましい。
【００２４】
第１の壁及び第２の壁の少なくとも一方は、第５の壁よりも熱を伝えにくい材料で構成されている。使用者と表示部との間に、熱を伝えにくい材料で構成された壁を配置することで、画素や駆動回路で発した熱の影響を抑制することができる。
第５の壁は、第１の壁及び第２の壁の少なくとも一方よりも熱を伝えやすい材料で構成されている。よって、表示部の画素や駆動回路で発した熱を、第５の壁の側に迅速且つ効率的に伝搬させ、第５の壁によって迅速且つ効率的に放熱することができる。
【００２５】
［適用例９］上記適用例に記載の電気光学装置において、前記画素には、有機エレクトロルミネッセンス素子が形成されていることが好ましい。
【００２６】
有機エレクトロルミネッセンス素子は、自発光型の表示素子であるので、光源としてのバックライトを必要とせず、液晶素子などの非発光型の表示素子と比べて薄型化（コンパクト化）や軽量化に優れる。よって、表示部に有機エレクトロルミネッセンス素子を形成することで、表示部に液晶素子を形成する場合と比べて表示部の薄型化や軽量化を図ることができる。
【００２７】
［適用例１０］本適用例に係る電子機器は、上記適用例に記載の電気光学装置を備えていることを特徴とする。
【００２８】
［適用例１１］本適用例に係る電気光学装置は、人体に装着可能な電気光学装置であって、画素及び前記画素を駆動する駆動回路を有する表示部と、前記表示部を収納すると共に人体側に位置する壁を有する外装ケースと、を備え、前記壁は、前記表示部から少なくとも一つの空間を置いて配置されていることを特徴とする。
【００２９】
上記適用例に記載の電気光学装置は、接触面の温度上昇が抑制される。従って、本適用例に係る電子機器に当該電気光学装置を適用すると、電子機器の温度上昇を抑えることができる。例えば、ヘッドマウントディスプレイ、ウエアラブルコンピューター、ウエアラブルフォン、ウエアラブルウオッチなどの人体に着脱可能な電子機器の表示部に当該電気光学装置を適用することで、優れた電子機器を提供することができる。
【図面の簡単な説明】
【００３０】
【図１】実施形態１に係る虚像表示装置の構成を示す概略図。
【図２】第１表示装置の構成を示す概略断面図。
【図３】（ａ）は第１の画像形成装置の構成を示す概略断面図、（ｂ）は第１の画像形成装置の概略平面図。
【図４】図３（ａ）の破線で囲まれた領域Ｂにおける画像表示装置の概略断面図。
【図５】有機ＥＬ表示装置が実装された側の画像表示装置の概略平面図。
【図６】有機ＥＬ表示装置の電気的な構成を示す等価回路図。
【図７】（ａ）は実施形態２に係る画像形成装置の構成を示す概略図、（ｂ）は画像形成装置の概略平面図。
【図８】実施形態３に係るスマートウオッチの構成を示す概略図。
【図９】図８のＡ−Ａ’線に沿った表示部の概略断面図。
【図１０】変形例３に係る画像形成装置の概略断面図。
【発明を実施するための形態】
【００３１】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００３２】
（実施形態１）
「虚像表示装置の概要」
実施形態１に係る虚像表示装置１００は、本発明における「電子機器」の一例であり、眼鏡のような外観を有し、人体の頭部に装着するヘッドマウントディスプレイ（ＨＭＤ）である。虚像表示装置１００を装着した装着者Ｍは、虚像表示装置１００によって虚像による画像光を認識することができる。さらに、虚像表示装置１００は、シースルー機能を有している。よって、装着者Ｍは、虚像表示装置１００による虚像と、外界像とを同時に観察することができる。
【００３３】
図１は、本実施形態に係る虚像表示装置の構成を示す概略図である。まず、図１を参照して、虚像表示装置１００の概要について説明する。
【００３４】
図１に示すように、虚像表示装置１００は、装着者Ｍの眼前を覆う光学パネル１１０と、光学パネル１１０などを支持するフレーム１２１と、フレーム１２１の前方のカバー部分から側面のテンプルの部分に付加された第１の画像形成装置１０及び第２の画像形成装置９と、を備える。
なお、第１の画像形成装置１０、及び第２の画像形成装置９は、本発明における「電気光学装置」の一例である。
【００３５】
光学パネル１１０は、第１パネル部分１１１と第２パネル部分１１２とを有し、両パネル部分１１１，１１２は、中央で一体的に連結された板状の部品となっている。図面上で左側の第１パネル部分１１１と第１の画像形成装置１０とを組み合わせた第１表示装置１００Ａは、左眼用の虚像を形成する部分であり、単独でも虚像表示装置として機能する。また、図面上で右側の第２パネル部分１１２と第２の画像形成装置９とを組み合わせた第２表示装置１００Ｂは、右眼用の虚像を形成する部分であり、単独でも虚像表示装置として機能する。
【００３６】
フレーム１２１は、虚像表示装置１００の筐体である。フレーム１２１は、装着者Ｍの耳に接する部分、装着者Ｍの前頭部に接する部分、装着者Ｍの鼻に接する部分などの人体に接触する部分を有している。
【００３７】
第１の画像形成装置１０は、フレーム１２１に実装され、フレーム１２１と一体となって頭部に着脱して使用される。第１の画像形成装置１０は、装着者Ｍの側頭部の側に壁１３−１を有し、壁１３−１の装着者Ｍ側の面が、人体に接触する面（以降、接触面と称す）１３−１Ａとなる。さらに、第１の画像形成装置１０は、壁１３−１と交差するように配置された壁１３−５を有し、壁１３−５に後述する画像表示装置１１（図２参照）が固定されている。また、壁１３−１及び壁１３−５は、後述する外装ケース１３（図２参照）の一部をなす。
なお、壁１３−１は、本発明における「第１の壁」の一例である。壁１３−５は、本発明における「第５の壁」の一例である。
【００３８】
また、第２表示装置１００Ｂは、第１表示装置１００Ａと同じ構造（構成）を有し、第２の画像形成装置９は、第１の画像形成装置１０と同じ構造（構成）を有し、それぞれ左右を反転させただけである。従って、第２表示装置１００Ｂ及び第２の画像形成装置９の説明を省略し、第１表示装置１００Ａ及び第１の画像形成装置１０によって、本発明の特徴点を説明する。
以降の説明では、第１の画像形成装置１０を画像形成装置１０と称す。
【００３９】
「表示装置の概要」
図２は、第１表示装置の構成を示す概略断面図である。図中で、画像表示装置１１で発せられた画像光ＧＬ、及び外界光ＯＬは、一点鎖線の矢印で示されている。
次に、図２を参照して、第１表示装置１００Ａの概要について説明する。
【００４０】
図２に示すように、第１表示装置１００Ａは、画像形成装置１０と、導光装置２０とを備える。
【００４１】
第１表示装置１００Ａの光学系は、第１光軸ＡＸ１と、第２光軸ＡＸ２と、第３光軸ＡＸ３とを有している。図２では、第１光軸ＡＸ１と第３光軸ＡＸ３とは平行であり、第２光軸ＡＸ２は、第１光軸ＡＸ１及び第３光軸ＡＸ３に直交する。
【００４２】
第１光軸ＡＸ１と第３光軸ＡＸ３とは平行でなくてもよく、第２光軸ＡＸ２は、第１光軸ＡＸ１及び第３光軸ＡＸ３に直交しなくてもよい。装着者が虚像表示装置１００を装着したときに、画像表示装置１１からの光が装着者の眼ＥＹに至るように配置されていればよい。
【００４３】
画像形成装置１０は、画像表示装置１１と、投射光学系１２と、外装ケース１３とを有する。画像表示装置１１は、画像光ＧＬを投射光学系１２の側に向けて出力（射出）する。投射光学系１２は、画像表示装置１１から出力された画像光ＧＬを平行状態の光束に変換するコリメートレンズである。外装ケース１３は、画像表示装置１１や投射光学系１２を収納する筐体である。
なお、画像表示装置１１は、本発明における「表示部」の一例である。
【００４４】
導光装置２０は、導光部材２１と光透過部材２３とを接合したものであり、全体として平行に延びる平板状の光学部材である。導光部材２１及び光透過部材２３は、可視域で高い光透過性を示す樹脂材料で形成されている。
【００４５】
導光部材２１は、平面視において台形のプリズムであり、側面として、第１反射面２１ａと、第２反射面２１ｂと、第３反射面２１ｃと、第４反射面２１ｄとを有する。第１反射面２１ａと、第２反射面２１ｂと、第３反射面２１ｃとは、屈折率差を利用した全反射面である。第４反射面２１ｄは、光透過性と光反射性とを有するハーフミラー層２８を備えている。ハーフミラー層２８は、例えば銀などによる金属反射膜や誘電体多層膜を成膜することにより形成される。
【００４６】
第１反射面２１ａ及び第２反射面２１ｂは、互いに対向し、台形のプリズムの長辺部に相当し、第２光軸ＡＸ２の方向に長くなっている。第３反射面２１ｃ及び第４反射面２１ｄは、台形のプリズムの斜面（短辺部）に相当し、共に第２光軸ＡＸ２に対して４５°以下の鋭角で傾斜している。
【００４７】
画像表示装置１１で発せられた画像光ＧＬは、導光装置２０に入射し、第３反射面２１ｃで第２光軸ＡＸ２の方向に反射され、第４反射面２１ｄに向かう。
【００４８】
つまり、画像表示装置１１で発せられた画像光ＧＬは、導光装置２０と導光部材２１とを通過し、第４反射面２１ｄで反射され、装着者の眼ＥＹに入射する。さらに、外界光ＯＬは、光透過部材２３、第４反射面２１ｄ、及び導光部材２１を通過し、装着者の眼ＥＹに入射する。その結果、装着者は、虚像と外界像とを重畳させて認識することができる。
【００４９】
以降の説明では、第２光軸ＡＸ２に平行であって、第４反射面２１ｄから第３反射面２１ｃに向かう方向をＸ方向とする。第１光軸ＡＸ１及び第３光軸ＡＸ３に平行であって、第３反射面２１ｃから画像表示装置１１に向かう方向をＺ方向とする。さらに、Ｘ方向及びＺ方向に直交する方向をＹ方向とする。
なお、Ｘ方向は、本発明における「第１の方向」の一例である。
【００５０】
「画像形成装置の概要」
図３（ａ）は、図２から第１の画像形成装置を抜き出して示した図であり、第１の画像形成装置の構成を示す概略断面図である。図３（ｂ）は、図３（ａ）と交差する方向から見た概略平面図、つまりＺ方向から見た第１の画像形成装置の概略平面図である。なお、図３（ａ）及び図３（ｂ）では、説明に必要な構成要素が図示され、説明に不必要な構成要素の図示が省略されている。
以下に、図３（ａ）及び図３（ｂ）を参照して、画像形成装置１０の概要を説明する。
【００５１】
上述したように、画像形成装置１０は、画像表示装置１１と、投射光学系１２と、外装ケース１３とを有している。図３（ａ）及び図３（ｂ）に示すように、外装ケース１３は、壁１３−１と、壁１３−２と、壁１３−３と、壁１３−５と、壁１３−６と、壁１３−７と、壁１３−８とで構成されている。
上述したように、壁１３−１は、接触面１３−１Ａを有している。図中で、壁１３−１の−Ｘ方向の側の面（装着者Ｍの側の面）が接触面１３−１Ａとなる。
【００５２】
図３（ａ）に示すように、Ｘ方向に沿って、壁１３−１と、壁１３−２と、壁１３−３とが順に配置されている。壁１３−１、壁１３−２、及び壁１３−３は、Ｚ方向に長くなった矩形状を有している。壁１３−１、壁１３−２、及び壁１３−３のＺ方向の両端には、壁１３−５と、壁１３−６とが配置されている。
なお、壁１３−２は、本発明における「第２の壁」の一例であり、壁１３−３は本発明における「第３の壁」の一例である。
【００５３】
壁１３−１は、装着者Ｍの側に配置され、Ｚ方向に延びた部分と、Ｘ方向に延びた部分とを有している。つまり、壁１３−１は、Ｚ方向に長くなった部分の両端で、Ｘ方向に曲がった部分を有している。
【００５４】
壁１３−３は、フレーム１２１の側に配置され、フレーム１２１に固定（接着）されている。壁１３−５は、画像表示装置１１の側に配置され、画像表示装置１１が固定（接着）されている。壁１３−６は、導光装置２０の側に配置され、導光装置２０が固定（接着）されている。壁１３−６には、開口１３−６ＣＴを有し、画像表示装置１１で発せられた画像光ＧＬが、導光装置２０の第３反射面２１ｃに入射するようになっている。
なお、開口１３−６を介して導光装置２０への異物の侵入を抑制するため、壁１３−６の開口１３−６ＣＴを覆うように透光部材（例えば、防塵ガラス）を設けた構成であってもよい。
【００５５】
図３（ｂ）に示すように、壁１３−１のＹ方向の端部と壁１３−３のＹ方向の端部との間には、壁１３−７及び壁１３−８が配置されている。壁１３−７及び壁１３−８は、Ｚ方向に長くなっている。
つまり、壁１３−１、壁１３−３、壁１３−５、壁１３−６、壁１３−７、及び壁１３−８は、外装ケース１３の表面の側に配置され、壁１３−２は、外装ケース１３の内部に配置される。
【００５６】
画像形成装置１０には、壁１３−１と、壁１３−２と、壁１３−７と、壁１３−８とで囲まれた第１の空間１５（図３（ａ））が形成される。さらに、画像形成装置１０には、壁１３−２と、壁１３−３と、壁１３−５と、壁１３−６と、壁１３−７と、壁１３−８とで囲まれた第２の空間１６が形成される。第１の空間１５及び第２の空間１６には、大気圧の空気または減圧された空気のいずれかが充填されている。
換言すれば、壁１３−１と壁１３−２との間、及び壁１３−２と壁１３−３との間には、大気圧の空気または減圧された空気のいずれかが充填されている。
【００５７】
画像表示装置１１は、壁１３−２と壁１３−３との間に配置されている。また、壁１３−１と画像表示装置１１との間には、第１の空間１５（空気）と、壁１３−２と、第２の空間１６（空気）とが配置されている。つまり、接触面１３−１Ａ（壁１３−１）は、画像表示装置１１から、二つの空間（第１の空間１５、第２の空間１６）を置いて配置されている。
【００５８】
壁１３−１，１３−２，１３−７，１３−８は、熱を伝えにくい材料で構成されている。例えば、壁１３−１，１３−２，１３−７，１３−８は、樹脂材料、詳しくはポリオレフィン、フッ素系樹脂、アクリル、塩化ビニル、ポリエステル、ポリスチレン、ＡＢＳ樹脂などの樹脂材料で構成することができる。
【００５９】
壁１３−３，１３−５，１３−６は、熱を伝えやすい材料で構成されている。壁１３−３，１３−５，１３−６を構成する材料は、熱を伝えやすく軽い材料が好ましく、例えばアルミニウム、アルミニウム合金、マグネシウム、マグネシウム合金などの軽金属材料を使用することができる。
このように、壁１３−１及び壁１３−２，１３−７，１３−８の熱伝導率は、壁１３−３，１３−５，１３−６の熱伝導率と比べて小さくなっている。
【００６０】
詳細は後述するが、画像表示装置１１に通電し、画像表示装置１１が画像光ＧＬを発すると、画像表示装置１１は発熱する。本実施形態の画像形成装置１０は、画像表示装置１１で発した熱の影響を軽減（抑制）する構成を有している。つまり、画像表示装置１１で発した熱の影響を抑制するために、画像形成装置１０は、装着者Ｍと画像表示装置１１との間に、壁１３−１と、第１の空間１５と、壁１３−２と、第２の空間１６とが配置されている。
【００６１】
壁１３−１及び壁１３−２は熱を伝えにくい材料で構成されているので、熱を装着者Ｍの側に伝搬しにくい。
第１の空間１５及び第２の空間１６には、大気圧の空気または減圧された空気のいずれかが充填されている。例えば、大気圧の空気の熱伝導値の値は、常温で０．０２６Ｗ／ｍＫである。壁１３−１及び壁１３−２を構成する樹脂の熱伝導率の値は、常温で概略０．２Ｗ／ｍＫ〜０．３Ｗ／ｍＫである。大気圧の空気の熱伝導率は、樹脂の熱伝導率と比べて極めて小さいので、大気圧の空気が充填された第１の空間１５及び第２の空間１６は、樹脂で構成された壁１３−１及び壁１３−２と比べて、さらに熱を伝えにくく、優れた断熱性を有している。
【００６２】
従って、装着者Ｍと画像表示装置１１との間に、熱を伝えにくい材料で構成された壁１３−１と、さらに熱を伝えにくい第１の空間１５と、熱を伝えにくい材料で構成された壁１３−２と、さらに熱を伝えにくい第２の空間１６とを配置することによって、画像表示装置１１で発した熱が、装着者Ｍの側に伝搬されにくくすることができる。
すなわち、画像形成装置１０は、画像表示装置１１で発した熱が、装着者Ｍの側に伝搬されにくいという優れた断熱性を有している。
【００６３】
なお、壁１３−２から壁１３−１には、第１の空間１５に充填された空気による熱の伝搬以外に、壁１３−２からの熱の輻射によって、熱が伝搬される。よって、画像形成装置１０は、空気による熱の伝搬を小さくし、主に壁１３−２からの熱の輻射によって熱が伝搬される構成を有することが、より好ましい。
つまり、第１の空間１５には減圧された空気を充填し、第１の空間１５の断熱性をさらに高めた構成が、より好ましい。
【００６４】
仮に、装着者Ｍと画像表示装置１１との間に空間を配置せず、装着者Ｍと画像表示装置との間に、熱を伝えにくい材料で構成された壁１３−１及び壁１３−２を配置した場合、画像表示装置１１から装着者Ｍに伝搬される熱の抑制が不十分となる。従って、画像表示装置１１から装着者Ｍに伝搬される熱を十分に抑制するためには、装着者Ｍと画像表示装置１１との間に少なくとも一つの空間（第１の空間１５、第２の空間１６）を配置することが重要である。
【００６５】
装着者Ｍと画像表示装置１１との間に少なくとも一つの空間を配置した構成において、壁１３−１及び壁１３−２の少なくとも一方が熱を伝えにくい材料で構成されていれば、画像表示装置１１で発した熱によって壁１３−１の温度が上昇した場合であっても、温度上昇による不快感を抑制することが可能となり、快適性（装着感）を確保することができる。すなわち、壁１３−１の熱伝導率及び壁１３−２の熱伝導率の少なくとも一方は、壁１３−５の熱伝導率と比べて小さい構成を有していればよい。なお、装着感は、個人差があり、装着中に温度が高くなっても違和感を覚えない人もいるが、側頭部への温度の伝達が少ない、換言すれば、使用時の温度変化が少ない方がより好ましいという観点で課題認識している。
【００６６】
また、画像形成装置１０では、画像表示装置１１は壁１３−５に固定され、壁１３−５は壁１３−３に接続され、壁１３−３はフレーム１２１及び壁１３−６に接続されている。よって、画像表示装置１１で発した熱は、壁１３−５の側に伝搬され、さらに壁１３−５を経由してフレーム１２１の側及び壁１３−６の側に伝搬される。壁１３−３，１３−５，１３−６は、熱を伝えやすい材料で構成されているので、画像表示装置１１で発した熱を、壁１３−３，１３−５，１３−６の側に迅速且つ効率的に伝搬させ、壁１３−３，１３−５，１３−６を熱の放熱部として、迅速且つ効率的に放熱することができる。
すなわち、画像形成装置１０は、画像表示装置１１で発した熱を、装着者Ｍに影響しない側に放熱しやすいという優れた放熱性を有している。
【００６７】
さらに、熱を伝えやすい材料でフレーム１２１を構成することによって、画像表示装置１１で発した熱を、フレーム１２１の側にも迅速且つ効率的に伝搬させ、フレーム１２１を熱の放熱部として、迅速且つ効率的に放熱することができる。
【００６８】
なお、上述したように、フレーム１２１は、人体に接触する部分を有している。熱を伝えにくい材料でフレーム１２１の人体と接触する部分を構成し、熱を伝えやすい材料でフレーム１２１の人体と接しない部分を構成し、フレーム１２１の人体と接しない部分を熱の放熱部として活用することが好ましい。
【００６９】
このように、画像形成装置１０は、装着者Ｍの側に熱を伝搬しにくいという優れた断熱性と、装着者Ｍに影響しない側に熱を放熱しやすいという優れた放熱性とを有している。よって、画像表示装置１１で発した熱の影響を抑制することができる、つまり画像表示装置１１で発した熱によって、壁１３−１の温度が上昇しにくくすることができる。従って、壁１３−１の温度上昇が大きくなりすぎ、装着者Ｍへの熱伝搬を抑制することができる。
【００７０】
「画像表示装置の概要」
図４は、図３（ａ）の破線で囲まれた領域Ｂにおける画像表示装置の概略断面図であり、第５の壁に対して画像表示装置が固定（実装）された状態を示している。図４では、説明に必要な構成要素が図示され、説明に不必要な構成要素の図示が省略されている。
以下に、図４を参照して、画像表示装置１１の概要を説明する。
【００７１】
図４に示すように、画像表示装置１０は、プリント基板５０、有機ＥＬ表示装置３０、及び半導体素子７１などで構成される。プリント基板５０の一方の表面は、接着剤６６によって有機ＥＬ表示装置３０に接着されている。プリント基板５０の他方の表面は、半導体素子７１が実装され、接着剤６５によって壁１３−５に接着されている。
なお、図示を省略するが、画像表示装置１１は、コネクターを有し、フレキシブルプリント基板やケーブルなどを介して、外部回路（図示省略）に接続されている。
【００７２】
詳細は後述するが、画像表示装置１１において、有機ＥＬ表示装置３０が熱の発生源となる。有機ＥＬ表示装置３０で発した熱は、接着剤６６と、プリント基板５０と、接着剤６５とを経由して、壁１３−５の側に伝搬される。
なお、接着剤６５，６６は、熱を伝搬しやすい熱伝導性接着剤で構成されている。
【００７３】
有機ＥＬ表示装置３０は、素子基板３１と封止基板３２とを有している。有機ＥＬ表示装置３０の素子基板３１は、画像光ＧＬを発する有機ＥＬ素子４５（図６参照）を有し、上述したようにプリント基板５０の一方の表面に実装されている。つまり、有機ＥＬ表示装置３０の素子基板３１が、接着剤６６によってプリント基板５０の一方の表面に接着されている。
【００７４】
半導体素子７１は、有機ＥＬ表示装置３０に各種制御信号を供給する制御回路であり、上述したようにプリント基板５０の他方の表面に実装されている。図示を省略するが、プリント基板５０の他方の表面には、半導体素子７１の他に、他の半導体素子（例えば、電源回路など）、抵抗素子、及び容量素子などの複数の電子部品が実装されている。
【００７５】
プリント基板５０は、半導体素子７１や有機ＥＬ表示装置３０などの電子部品に対して配線するための部材であり、プリント基板本体５０ａと、プリント基板本体５０ａの表面を覆うソルダーレジスト５３とで構成される。
【００７６】
プリント基板本体５０ａは、導電層５２ａと、絶縁層５１ａと、導電層５２ｂと、絶縁層５１ｂと、導電層５２ｃと、絶縁層５１ｃと、導電層５２ｄとが、Ｚ方向に順に積層された構造を有している。つまり、プリント基板本体５０ａは、配線層と絶縁層とが交互に積層された多層構造を有している。
【００７７】
導電層５２ａ，５２ｂ，５２ｃ，５２ｄは、例えば銅などの金属で構成され、電気伝導性及び熱伝導性に優れている。例えば、導電層５２ａには、信号配線や有機ＥＬ表示装置３０に信号を供給する電極パッドなどが形成されている。例えば、導電層５２ｂには、グランド電位が供給されたグランド配線が形成されている。例えば、導電層５２ｃには、電源配線が形成されている。導電層５２ｄには、信号配線や半導体素子７１に信号を供給する電極パッドなどが形成されている。
【００７８】
導電層５２ｂ（グランド配線）及び導電層５２ｃ（電源配線）は、ベタパターンであり、導電層５２ａ（信号配線、電極パッド）及び導電層５２ｄ（信号配線、電極パッド）は、配線や端子（電極パッド）の形状にパターニングされている。
【００７９】
絶縁層５１ａ，５１ｂ，５１ｃは、例えばエポキシ系材料や、ポリイミド系材料などの有機材料で構成される。絶縁層５１ａ，５１ｂ，５１ｃは、セラミックスなどの無機材料や、ガラス繊維に有機材料を含浸させた複合材料などで構成してもよい。
なお、図示を省略するが、絶縁層５１ａ，５１ｂ，５１ｃにはビアホールが形成され、当該ビアホールによって、導電層５２ａ，５２ｂ，５２ｃ，５２ｄは立体的に配線されている。
【００８０】
さらに、プリント基板本体５０ａの有機ＥＬ表示装置３０が実装された側の表面、及びプリント基板本体５０ａの半導体素子７１が実装された側の表面は、ソルダーレジスト５３で覆われている。ソルダーレジスト５３は、プリント基板本体５０ａの表面に設けられた導電層５２ａ及び導電層５２ｄを保護する絶縁層である。
【００８１】
このように、プリント基板５０は、導電層（導電層５２ａ，５２ｂ，５２ｃ，５２ｄ）と絶縁層（ソルダーレジスト５３、絶縁層５１ａ，５１ｂ，５１ｃ，５１ｄ）とがＺ方向に交互に積層された多層構造を有している。熱伝導性に優れた導電層５２ａ，５２ｂ，５２ｃ，５２ｄによって、プリント基板５０のＺ方向の熱伝導性を高め、熱はＺ方向に効率的に伝搬される。
【００８２】
プリント基板５０の半導体素子７１が実装された側において、半導体素子７１は、バンプ７２を有し、導電層５２ｄで形成された電極パッドに接続（実装）されている。
プリント基板５０の有機ＥＬ表示装置３０が実装された側において、有機ＥＬ表示装置３０の外部接続用端子３７（図５参照）は、ボンディングワイヤー（図示省略）によって、導電層５２ａで形成された電極パッドに接続（実装）されている。つまり、有機ＥＬ表示装置３０は、ワイヤーボンディングによってプリント基板５０に実装されている。
【００８３】
「有機ＥＬ表示装置の概要」
図５は、有機ＥＬ表示装置が実装された側の画像表示装置の概略平面図である。図６は、有機ＥＬ表示装置の電気的な構成を示す等価回路図である。図５及び図６では、説明に必要な構成要素が図示され、説明に不必要な構成要素の図示が省略されている。
次に、図５及び図６を参照して、有機ＥＬ表示装置３０の概要を説明する。
【００８４】
図５に示すように、有機ＥＬ表示装置３０は、プリント基板５０の一方の表面に固定されている。有機ＥＬ表示装置３０は、素子基板３１と、封止基板３２とを有しており、両基板は、樹脂層（図示省略）によって接着されている。
【００８５】
素子基板３１には、表示領域Ｅにマトリックス状に配置された複数の画素Ｐ、複数の画素Ｐを駆動する駆動回路（データ線駆動回路３５、走査線駆動回路３６）、外部接続用端子３７などが形成されている。詳しくは、素子基板３１は、画素Ｐ、データ線駆動回路３５、走査線駆動回路３６、及び外部接続用端子３７などが形成された半導体基板（シリコン基板）である。つまり、素子基板３１は、熱伝導性に優れた半導体基板（シリコン基板）で構成されている。
【００８６】
素子基板３１の第１辺に沿って、複数の外部接続用端子３７が配列されている。複数の外部接続用端子３７と表示領域Ｅとの間には、データ線駆動回路３５が配置されている。該第１辺と直交し互いに対向する他の第２辺、第３辺と表示領域Ｅとの間には、走査線駆動回路３６が配置されている。
【００８７】
封止基板３２は、素子基板３１よりも小さく、外部接続用端子３７が露出されるように配置されている。封止基板３２は、透光性の絶縁基板であり、石英基板やガラス基板などを使用することができる。封止基板３２は、表示領域Ｅに配置された後述する有機ＥＬ素子４５（図６参照）が傷つかないように保護する役割を有し、表示領域Ｅよりも広く設けられている。また、封止基板３２は、有機ＥＬ表示装置３０における画像光ＧＬを発する側の面となる。
なお、封止基板３２の素子基板３１と反対側の面には、有機ＥＬ表示装置３０を保護する保護ガラスを配置してもよい。
【００８８】
図６に示すように、有機ＥＬ表示装置３０は、互いに交差する複数の走査線３３及び複数のデータ線３８と、複数のデータ線３８のそれぞれに対して並列する複数の電源線３９とを有している。走査線３３は走査線駆動回路３６に接続され、データ線３８はデータ線駆動回路３５に接続されている。また、複数の走査線３３と複数のデータ線３８との各交差部に対応して、画素Ｐがマトリックス状に配置されている。
【００８９】
画素Ｐは、発光素子である有機ＥＬ素子４５と、有機ＥＬ素子４５の駆動（発光）を制御する画素回路４０とを有している。
【００９０】
有機ＥＬ素子４５は、陽極として機能する画素電極４６と、陰極として機能する対向電極４８と、画素電極４６と対向電極４８との間に設けられた有機発光層を含む発光機能層４７とを有している。このような有機ＥＬ素子４５は、電気的にダイオードとして表記することができ、有機ＥＬ素子４５に流れる電流によって、発光機能層４７が発光する。詳しくは、画素電極４６から発光機能層４７に正孔が供給され、対向電極４８から発光機能層４７に電子が供給され、正孔と電子とが発光機能層４７で結合し、発光機能層４７が発光する。
【００９１】
画素回路４０は、スイッチング用トランジスター４１と、蓄積容量４２と、駆動用トランジスター４３とを含んでいる。２つのトランジスター４１，４３は、例えばｎチャネル型もしくはｐチャネル型のトランジスターなどを用いて構成することができる。
【００９２】
スイッチング用トランジスター４１のゲートは、走査線３３に接続されている。スイッチング用トランジスター４１のソースまたはドレインのうち一方は、データ線３８に接続されている。スイッチング用トランジスター４１のソースまたはドレインのうち他方は、駆動用トランジスター４３のゲートに接続されている。
【００９３】
駆動用トランジスター４３のソースまたはドレインのうち一方は、有機ＥＬ素子４５の画素電極４６に接続されている。駆動用トランジスター４３のソースまたはドレインのうち他方は、電源線３９に接続されている。駆動用トランジスター４３のゲートと電源線３９との間には、蓄積容量４２が接続されている。
【００９４】
走査線３３が駆動されてスイッチング用トランジスター４１がオン状態になると、そのときにデータ線３８から供給される画像信号に基づく電位がスイッチング用トランジスター４１を介して蓄積容量４２に保持される。該蓄積容量４２の電位すなわち駆動用トランジスター４３のゲート電位に応じて、駆動用トランジスター４３のオン・オフ状態が決まる。そして、駆動用トランジスター４３がオン状態になると、電源線３９から駆動用トランジスター４３を介して、画素電極４６と対向電極４８とで挟まれた発光機能層４７に、ゲート電位に応じた量の電流が流れる。有機ＥＬ素子４５は、発光機能層４７に流れる電流量に応じて発光する。
【００９５】
走査線駆動回路３６は、スイッチング用トランジスター４１のオン・オフを制御する走査信号を供給する。データ線駆動回路３５は、有機ＥＬ素子４５が発光するための電流を制御する。このため、データ線駆動回路３５には、走査線駆動回路３６と比べて、大きな電流が流れるので、当該電流によって発熱する。さらに、有機ＥＬ素子４５も、有機ＥＬ素子４５に流れる電流によって発熱する。データ線駆動回路３５は、複数の有機ＥＬ素子４５に流れる電流の全体を制御するので、単体の有機ＥＬ素子４５に流れる電流と比べて大きな電流が流れ、単体の有機ＥＬ素子４５よりも発熱量が大きい。
【００９６】
データ線駆動回路３５で発した熱は、熱伝導性に優れた素子基板３１の母材（シリコン基板）を介して、有機ＥＬ素子４５に伝搬される。つまり、有機ＥＬ素子４５は、有機ＥＬ素子４５に流れる電流による発熱以外に、データ線駆動回路３５の発熱の影響を受け、有機ＥＬ素子４５の温度が上昇する恐れがある。有機ＥＬ素子４５の発光機能層４７の温度が上昇すると、有機ＥＬ素子４５の発光機能層４７の劣化が加速するため、有機ＥＬ素子４５の寿命が短くなる恐れがある。
【００９７】
データ線駆動回路３５や有機ＥＬ素子４５で発した熱は、熱伝導性に優れた素子基板３１の母材（シリコン基板）と、熱伝導性に優れた接着剤６６と、熱伝導性に優れたプリント基板５０と、熱伝導性に優れた接着剤６５とを経由して、迅速及び効率的に熱伝導性に壁１３−５に伝搬される。
【００９８】
さらに、壁１３−５に伝搬された熱は、熱伝導性に優れた壁１３−３と、フレーム１２１の熱伝導性に優れた部分に伝搬される。これら壁１３−３，１３−５，１３−６及びフレーム１２１の熱伝導性に優れた部分を熱の放熱部として、データ線駆動回路３５や有機ＥＬ素子４５で発した熱が放熱される。
【００９９】
よって、データ線駆動回路３５や有機ＥＬ素子４５で発した熱の影響、つまり有機ＥＬ素子４５の温度上昇が抑制され、有機ＥＬ素子４５の劣化を抑制することができる。つまり、有機ＥＬ素子４５の信頼性を高めることができる。
【０１００】
このように、本実施形態の画像形成装置１０は、装着者Ｍに熱を伝えにくいという効果に加えて、有機ＥＬ素子４５の劣化を抑制する効果も有している。よって、本実施形態の画像形成装置１０は、優れた信頼性を有する。
【０１０１】
（実施形態２）
図７（ａ）は、図３（ａ）に対応する図であり、実施形態２に係る画像形成装置の構成を示す概略断面図である。図３（ｂ）は、図３（ａ）と交差する方向から見た概略平面図、つまりＺ方向から見た画像形成装置の概略平面図である。
【０１０２】
本実施形態に係る画像形成装置１０は、フレーム１２１の側に壁１３−４を有し、画像表示装置１１とフレーム１２１との間に第３の空間１７が形成されている点が、実施形態１に係る画像形成装置１０との主な相違点である。
以下、図７（ａ）及び図７（ｂ）を参照して、本実施形態に係る画像形成装置１０を、実施形態１に係る画像形成装置１０との相違点を中心に説明する。また、実施形態１と同一の構成部位については、同一の符号を附し、重複する説明を省略する。
【０１０３】
図７（ａ）に示すように、Ｘ方向に沿って、壁１３−１と、壁１３−２と、壁１３−３、壁１３−４とが順に配置されている。壁１３−１、壁１３−２、壁１３−３、及び壁１３−４は、Ｚ方向に長くなった矩形状を有している。
なお、壁１３−４は、本発明における「第４の壁」の一例である。
【０１０４】
壁１３−４は、フレーム１２１の側に配置され、フレーム１２１に固定（接着）されている。壁１３−４は、Ｚ方向に延びた部分と、Ｚ方向に延びた部分の両端でＸ方向に曲がった部分とを有している。
つまり、壁１３−１及び壁１３−４は、画像表示装置１１を挟んで、左右対称の形状を有している。
【０１０５】
図７（ｂ）に示すように、壁１３−１のＹ方向の端部と壁１３−４のＹ方向の端部との間には、壁１３−７及び壁１３−８が配置されている。壁１３−７及び壁１３−８は、Ｚ方向に長くなっている。
つまり、壁１３−１、壁１３−４、壁１３−５、壁１３−６、壁１３−７、及び壁１３−８は、外装ケース１３の表面の側に配置され、壁１３−２及び壁１３−３は、外装ケース１３の内部に配置される。
【０１０６】
画像形成装置１０には、壁１３−１と壁１３−２との間に、壁１３−１と壁１３−２と壁１３−７と壁１３−８とで囲まれた第１の空間１５（図７（ａ））が形成される。さらに、壁１３−２と壁１３−３との間に、壁１３−２と壁１３−３と壁１３−５と壁１３−６と壁１３−７と壁１３−８とで囲まれた第２の空間１６（図７（ａ））が形成される。さらに、壁１３−３と壁１３−４との間に、壁１３−３と壁１３−４と壁１３−７と壁１３−８とで囲まれた第３の空間１７（図７（ａ））が形成される。尚、第３の空間１７は、空間１５とつながっていてもよい。
【０１０７】
第１の空間１５、第２の空間１６、及び第３の空間１７には、大気圧の空気または減圧された空気のいずれかが充填されている。
換言すれば、壁１３−１と壁１３−２との間、壁１３−２と壁１３−３との間、及び壁１３−３と壁１３−４との間には、大気圧の空気または減圧された空気のいずれかが充填されている。
【０１０８】
壁１３−３及び壁１３−４は、熱を伝えにくい材料で構成されている。例えば、壁１３−３及び壁１３−４は樹脂材料、詳しくはポリオレフィン、フッ素系樹脂、アクリル、塩化ビニル、ポリエステル、ポリスチレン、ＡＢＳ樹脂などの樹脂材料で構成することができる。
なお、実施形態１の壁１３−３は、熱を伝えやすい材料で構成されており、この点も本実施形態と実施形態１との相違点である。
【０１０９】
本実施形態の画像形成装置１０では、画像表示装置１１とフレーム１２１との間に、熱を伝えにくい壁１３−３と、さらに熱を伝えにくい第３の空間１７（空気）と、熱を伝えにくい壁１３−４とが配置されている。よって、画像表示装置１１で発した熱は、フレーム１２１の側に伝搬されにくい。
【０１１０】
装着者Ｍは、フレーム１２１を把持して、虚像表示装置１００を着脱する。画像表示装置１１で発した熱が、フレーム１２１の側に伝搬され、例えばフレーム１２１の温度が高くなると、装着者Ｍがフレーム１２１を把持する際に違和感を覚え兼ねないが、画像表示装置１１で発した熱は、フレーム１２１の側に伝搬されにくいので、このような違和感を抑制することができる。
【０１１１】
（実施形態３）
図８は、実施形態３に係るスマートウオッチの構成を示す概略図である。図９は、図８のＡ−Ａ’線に沿った表示部の概略断面図である。
以下に、図８及び図９を参照して、本実施形態に係るスマートウオッチ２００の概要を説明する。
【０１１２】
スマートウオッチ２００は、本発明における「電子機器」の一例であり、パソコンや時計などの機能を有したウエアラブルウオッチである。スマートウオッチ２００は、図８に示すように、装着者Ｍの腕部に装着され、データを入力し処理する機能やデータを表示する機能を有する表示部２０１と、無線通信の機能やデータを処理する機能などを有する本体部２０２とを有している。
なお、表示部２０１は、本発明における「電気光学装置」の一例である。
【０１１３】
表示部２０１は、各種処理を指示するアイコンや、時刻（図示省略）などを表示する。装着者Ｍは、表示部２０１のアイコン（タッチパネル８（図９参照））に触れることで、各種処理を実行することができる。
【０１１４】
表示部２０１は、実施形態１の画像形成装置１０から投射光学系１２を削除し、新たにタッチパネル８を付加した構成を有している。表示部２０１は、図９に示すように、装着者Ｍの側から、外装ケース１３と、画像表示装置１１と、タッチパネル８とが、順に配置されている。
【０１１５】
外装ケース１３は、ケース部材１３−１ａと、把持部材１３−５ａとを有している。ケース部材１３−１ａの装着者Ｍ側の面１３−１ｂが、接触面である。ケース部材１３−１ａは、内部に空間（空洞）１８を有している。空間１８には、大気圧の空気または減圧された空気のいずれかが充填され、優れた断熱性を有している。把持部材１３−５ａは、タッチパネル８の側で折れ曲がり、画像表示装置１１を把持（収納）している。
【０１１６】
ケース部材１３−１ａは、熱を伝えにくい材料で構成され、把持部材１３−５ａは、熱を伝えやすい材料で構成されている。つまり、ケース部材１３−１ａの熱伝導率は、把持部材１３−５ａの熱伝導率よりも小さい。
【０１１７】
画像表示装置１１は、実施形態１１の画像表示装置１１と同じ構成を有し、有機ＥＬ表示装置３０（図４参照）に通電して画像を表示すると発熱する。
タッチパネル８は、表示部２０１におけるデータの入力部である。
【０１１８】
画像表示装置１１と装着者Ｍとの間には、熱を伝えにくいケース部材１３−１ａと、優れた断熱性を有した空間１８とが配置されているので、画像表示装置１１で発した熱は、装着者Ｍの側に伝搬されにくい。
【０１１９】
本発明は、上記実施形態に限られるものではなく、請求の範囲及び明細書全体から読み取れる発明の要旨あるいは思想に反しない範囲で適宜変更可能であり、そのような変更を伴う電気光学装置及び該電気光学装置が搭載された電子機器もまた本発明の技術的範囲に含まれる。上記実施形態以外にも様々な変形例が考えられる。以下、変形例を挙げて説明する。
【０１２０】
（変形例１）
本発明に係る画像形成装置１０や表示部２０１を構成する画像表示装置１１は、上述した画像表示装置１１に限定されない。例えば、画像表示装置１１は、有機ＥＬ表示装置３０に代えて液晶表示装置を有していてもよい。
【０１２１】
（変形例２）
本発明に係る画像形成装置１０や表示部２０１が適用された電子機器は、上述した虚像表示装置１００やスマートウオッチ２００に限定されない。例えば、人体に着脱可能なウエアラブルコンピューターやウエアラブルフォンなどにも、上述した画像形成装置１０や表示部２０１を適用させることができる。すなわち、本発明に係る画像形成装置１０や表示部２０１は、人体に着脱可能な電子機器（ウエアラブル機器）の表示部に好適である。
【０１２２】
（変形例３）
図１０（ａ）、図１０（ｂ）、及び図１０（ｃ）は、図３（ａ）に対応する図であり、変形例３に係る画像形成装置の概略断面図である。変形例３では、外装ケースの構成（形状）が実施形態１の外装ケース１３と異なり、他の構成は実施形態１と同じである。
図１０（ａ）に示すように、画像表示装置１１は、壁１３−２と壁１３−３との間で、壁１３−２及び壁１３−３に接して配置されている。一方、実施形態１の壁１３−２及び壁１３−３は、画像表示装置１１から離間して配置されている（図３（ａ）参照）。この点が、本変形例と実施形態１との主な相違点である。
【０１２３】
本変形例では、装着者Ｍと画像表示装置１１との間に、熱を伝えにくい壁１３−１と、熱を伝えにくい第１の空間１５（空気）と、熱を伝えにくい壁１３−２とが配置されているので、画像表示装置１１で発した熱は、装着者Ｍ（接触面１３−１Ａ）の側に伝搬されにくい。
なお、画像表示装置１１で発した熱が装着者Ｍの側に伝搬されにくくするためには、装着者Ｍと画像表示装置１１との間に、少なくとも一つの空間（第１の空間１５）が配置されていればよい。実施形態１と比べて、装着者Ｍと画像表示装置１１との間に配置される空間の数を少なくすることで、画像表示装置１１の薄型化を図ることができる。
【０１２４】
図１０（ｂ）に示すように、壁１３−３ａは、Ｌ字形状を有し、フレーム１２１の側と、画像表示装置１１の側とに配置される。フレーム１２１及び画像表示装置１１は、壁１３−３ａに固定（接着）されている。
つまり、本変形例の壁１３−３ａは、実施形態１における壁１３−３と壁１３−５とが一体化した構成を有している。この点が、本変形例と実施形態１との相違点である。
【０１２５】
実施形態１における壁１３−３と壁１３−５とを一体化することで、実施形態１における壁１３−３及び壁１３−５との接触部における熱の伝搬ロスが低減される。従って、本変形例は、実施形態１と比べて、画像表示装置１１からフレーム１２１に向かう熱の伝搬性を向上することができる。
【０１２６】
図１０（ｃ）に示すように、空洞を有するケース部材１３−１ｃ中に、第１の空間１５が形成されている。実施形態１では、壁１３−１と、壁１３−２と、壁１３−７と、壁１３−８とで囲まれた領域に、第１の空間１５（図３参照）が形成されている。この点が、本変形例と実施形態１との相違点である。
【０１２７】
つまり、本変形例のケース部材１３−１ｃは、実施形態１の壁１３−１と壁１３−２と壁１３−７と壁１３−８とを一体化した部材に相当する。かかる構成によって、第１の空間１５を形成する部材の気密性を高めることができる。例えば、第１の空間１５に減圧された空気を充填した場合に、第１の空間１５を形成する部材の気密性を高めることによって、第１の空間１５に充填された空気の圧力変化を抑制し、第１の空間１５の優れた断熱性を維持することができる。
【０１２８】
（変形例４）
実施形態１の画像形成装置１０では、画像表示装置１１は壁１３−５に固定されていたが、これに限定されない。例えば、画像表示装置１１を壁１３−３、壁１３−７、壁１３−８のいずれかに固定してもよい。なお、画像表示装置１１が固定された壁は、熱伝導性に優れた材料で構成することが好ましい。
【０１２９】
さらに、空間１５，１６，１７，１８に、大気圧の空気または減圧された空気が充填されていたが、これに限定されない。空間１５，１６，１７，１８に、大気圧の気体または減圧された気体が充填されている構成であればよく、例えば空間１５，１６，１７，１８に大気圧の窒素または減圧された窒素が充填された構成であってもよい。
【０１３０】
さらに、実施形態１の画像形成装置１０では、画像表示装置１１や投射光学系１２を収納する筐体である外装ケース１３と、虚像表示装置１００の筐体であるフレーム１２１とを別々に形成していたが、これに限定されない。例えば、虚像表示装置１００の筐体であるフレーム１２１の一部を、外装ケース１３の一部とする構成であってもよい。または、虚像表示装置１００の中に、画像表示装置１１や投射光学系１２を収納する構成であってもよい。これら構成では、人の接触面と、熱の発生源である画像表示装置１１との間に、大気圧の気体または減圧された気体が充填された空間を少なくとも一つ配置することが好ましい。
【０１３１】
（変形例５）
図１を用いて説明する。
上記実施形態、および変形例では、人体（被装着者）側の壁１３−１が側頭部に接触するものとして説明したが、この構成に限定するものではなく、壁１３−１が側頭部から離間していても良い。換言すれば、被装着者側に位置する壁１３−１と、側頭部との間に隙間がある構成としても良い。例えば、図１では、箱状をなした第１の画像形成装置１０がフレーム１２１の内側に張り出した構成となっているが、フレーム１２１の外側に張り出す構成としても良い。第２の画像形成装置９についても同様である。
この構成であっても、虚像表示装置１００は、眼鏡と同様に、被装着者の鼻に掛るパッド部と、耳に掛るフレーム１２１のツル部とによって頭部に搭載されるため、装着性に支障はない。さらに、発熱部である画像形成装置９，１０と、側頭部との間に隙間が形成され、この隙間が断熱空間（断熱部）として機能するため、より側頭部への熱の伝播を低減することができる。
【符号の説明】
【０１３２】
９…第２の画像形成装置、１０…第１の画像形成装置、１１…画像表示装置、１２…投射光学系、１３…外装ケース、１３―１Ａ…接触面、１３−１，１３―２，１３―３，１３─４，１３−５，１３−６，１３−７，１３−８…壁、１３−６ＣＴ…開口、１５…第１の空間、１６…第２の空間、１７…第３の空間、２０…導光装置、２１…導光部材、３０…有機ＥＬ表示装置、１００…虚像表示装置、１００Ａ…第１表示装置、１００Ｂ…第２表示装置、１２１…フレーム。
【図１】
2015143812.tif 000003
【図２】
2015143812.tif 000004
【図３】
2015143812.tif 000005
【図４】
2015143812.tif 000006
【図５】
2015143812.tif 000007
【図６】
2015143812.tif 000008
【図７】
2015143812.tif 000009
【図８】
2015143812.tif 000010
【図９】
2015143812.tif 000011
【図１０】
2015143812.tif 000012